(57)【要約】【課題】ウェアラブルデバイスに備えられる表示装置において、投影光を視認する観察者に与える不快感を従来よりも低減する。【解決手段】ウェアラブルデバイスに備えられる表示装置（１）は、観察者の視認対象となる画像を表示領域に表示する表示部（２０）と、外部から表示部（２０）へ入射する外光（Ｌ２）の光量を調整する調光部（３０）と、表示部（２０）と調光部（３０）との間に所定の厚さ（Ｄ）を有するスペーサ（４０）と、を備えている。【選択図】図１
2016126134.tif 000002
【特許請求の範囲】
【請求項１】
ウェアラブルデバイスに備えられる表示装置であって、
観察者の視認対象となる画像を表示領域に表示する表示部と、
外部から上記表示部へ入射する外光の光量を調整する調光部と、
上記表示部と上記調光部との間に所定の厚さを有するスペーサと、を備えていることを特徴とする表示装置。
【請求項２】
上記スペーサの上記所定の厚さは、上記調光部の変形量以上であることを特徴とする請求項１に記載の表示装置。
【請求項３】
上記スペーサは、上記調光部における上記外光の入射面を上面としたときの側面を囲むベゼル状の形状を有していることを特徴とする請求項１または２に記載の表示装置。
【請求項４】
上記スペーサは、上記表示部における上記外光の入射面を上面としたときの側面をさらに囲むことを特徴とする請求項３に記載の表示装置。
【請求項５】
上記調光部に対向する上記表示部の入射面、および、上記調光部の入射面の少なくともいずれかには、防眩処理が施されていることを特徴とする請求項１から４のいずれか１項に記載の表示装置。
【請求項６】
請求項１から５のいずれか１項に記載の表示装置と、
上記観察者の頭部に装着可能な装着部と、を備えており、
上記表示装置は、上記装着部に取り付けられていることを特徴とするウェアラブルデバイス。
【発明の詳細な説明】
【技術分野】
【０００１】
本発明は、ウェアラブルデバイスに備えられる表示装置に関する。
【背景技術】
【０００２】
近年、頭部装着型ディスプレイ（ＨＭＤ，Head Mounted Display）型のウェアラブルデバイスに好適な各種の表示装置が開発されている。特許文献１には、表示装置に入射する外光の光量が変化した場合においても、観察者（表示装置のユーザ）に与える不快感を低減させることを目的とした表示装置が開示されている。
【０００３】
具体的には、特許文献１の表示装置には、観察者の視認対象となる画像を表示する画像表示装置に加えて、入射光の透過率を制御する調光装置が設けられている。そして、調光装置を透過した外光は、画像表示装置の導光板を経て、観察者の瞳に入射する。これにより、表示装置の外部から観察者の瞳に入射する外光の光量を調整することが可能となる。
【先行技術文献】
【特許文献】
【０００４】
【特許文献１】特開２０１４−１６０１６９号公報（２０１４年９月４日公開）
【発明の概要】
【発明が解決しようとする課題】
【０００５】
しかしながら、特許文献１の表示装置における調光装置は、画像表示装置の表面に接着剤によって貼り付けられている。加えて、特許文献１では、調光装置と画像表示装置との接触を防止する点については、何ら考慮されていない。このため、特許文献１の表示装置では、調光装置と画像表示装置とが部分的に接触する恐れがある。
【０００６】
調光装置画像および表示装置の各部材は、空気よりも高い屈折率を有しているため、調光装置と画像表示装置との接触面では、干渉縞が発生することとなる。この干渉縞は、観察者にとって不要な模様（観察者が視認対象として意図していなかった不要な画像）として、観察者に視認される。それゆえ、特許文献１の表示装置では、観察者の視認対象となる画像を形成する光（投影光）を視認する観察者に与える不快感を、十分に低減することができないという問題があった。
【０００７】
本発明は、上記の問題点に鑑みてなされたものであり、その目的は、ウェアラブルデバイスに備えられる表示装置であって、投影光を視認する観察者に与える不快感を従来よりも低減することが可能な表示装置を提供することにある。
【課題を解決するための手段】
【０００８】
上記の課題を解決するために、本発明の一態様に係る表示装置は、ウェアラブルデバイスに備えられる表示装置であって、観察者の視認対象となる画像を表示領域に表示する表示部と、外部から上記表示部へ入射する外光の光量を調整する調光部と、上記表示部と上記調光部との間に所定の厚さを有するスペーサと、を備えている。
【発明の効果】
【０００９】
本発明の一態様に係る表示装置によれば、投影光を視認する観察者に与える不快感を従来よりも低減することが可能となるという効果を奏する。
【図面の簡単な説明】
【００１０】
【図１】本発明の実施形態１に係る表示装置の要部の構成を示す図である。
【図２】（ａ）〜（ｅ）はそれぞれ、本発明の実施形態１に係るウェアラブルデバイスの概略的な構成を示す図である。
【図３】本発明の実施形態１に係る表示装置の概略的な構成を示す機能ブロック図である。
【図４】本発明の実施形態２に係る表示装置の要部の構成を図である。
【図５】本発明の実施形態３に係る表示装置の要部の構成を図である。
【発明を実施するための形態】
【００１１】
〔実施形態１〕
本発明の実施形態１について、図１〜図３に基づいて説明すれば、以下の通りである。はじめに、本実施形態の表示装置１を備えたウェアラブルデバイス１００の概略的な構成について説明する。
【００１２】
なお、本実施形態では、ウェアラブルデバイス１００として眼鏡型ウェアラブルデバイスを例示して説明を行っている。しかしながら、本発明の一態様に係る表示装置を備えたウェアラブルデバイスは、必ずしも眼鏡型ウェアラブルデバイスのみに限定されず、その他のＨＭＤ型のウェアラブルデバイスであってもよい。
【００１３】
（ウェアラブルデバイス１００）
図２の（ａ）〜（ｅ）は、本実施形態のウェアラブルデバイス１００の概略的な構成を示す図である。ウェアラブルデバイス１００は、観察者（表示装置１のユーザ）の頭部に装着可能なデバイスであり、例えば眼鏡型ウェアラブルデバイスである。
【００１４】
なお、図２の（ａ）〜（ｅ）のそれぞれは、様々な方法によるウェアラブルデバイス１００の図示を表しており、（ａ）は上部方向からの斜視図であり、（ｂ）は斜め上方向からの斜視図であり、（ｃ）は正面図であり、（ｄ）は側面図であり、（ｅ）は下部付近での断面図である。
【００１５】
図２の（ａ）〜（ｅ）に示されるように、ウェアラブルデバイス１００は、表示装置１と、観察者の頭部に装着可能なフレーム９０（装着部）とを備えている。フレーム９０は、公知の眼鏡フレームと同様の構造を有していてよく、また、公知の眼鏡フレームと同様の材料によって製作されてよい。
【００１６】
表示装置１は、観察者の視認対象となる画像を表示する画像表示装置として機能する。表示装置１は、フレーム９０に取り付けられている。ウェアラブルデバイス１００において、表示装置１は、公知の眼鏡のレンズと同様の位置に配置されてよい。なお、表示装置１の詳細な構成についての説明は、後述する（図１を参照）。
【００１７】
また、ウェアラブルデバイス１００に備えられる表示装置１の個数は、１つであってもよいし、２つであってもよい。図２に示すように、表示装置１の個数を１つとした場合には、片眼型のウェアラブルデバイス１００が実現される。この場合、観察者の片方の瞳（例えば右目の瞳）のみに、観察者の視認対象となる画像を形成する投影光が入射される。他方、表示装置１の個数を２つとした場合には、両目型のウェアラブルデバイス１００が実現される。この場合、観察者の両方の瞳のそれぞれに投影光が入射される。
【００１８】
（表示装置１の概略的な説明）
図３は、表示装置１の概略的な構成を示す機能ブロック図である。はじめに、図３を参照して、表示装置１の機能を簡単に説明する。図３に示すように、表示装置１は、投影部１０、表示部２０、調光部３０、投影制御部３５、および調光制御部３６を備えている。なお、後述の図１に示すように、表示装置１には、表示部２０と調光部３０との接触を防止するためのスペーサ４０がさらに設けられている。
【００１９】
投影部１０は、観察者の視認対象となる画像を形成する投影光Ｌ１を、表示部２０に出射する（図１を参照）。投影光Ｌ１は、表示部２０を介して観察者の瞳８０に入射する。このように、表示部２０は、投影部１０から出射された投影光Ｌ１を導光し、瞳８０に入射させる役割を担う。すなわち、表示部２０は、観察者の視認対象となる画像を表示領域に表示する機能を有している。
【００２０】
調光部３０は、表示装置１の外部から表示部２０に入射する外光Ｌ２の光量を調整する光シャッタ（調光装置）として機能する。調光部３０によれば、表示部２０を介して瞳８０に入射する外光Ｌ２の光量を適宜調節することができるため、外光Ｌ２の光量が変化した場合においても、観察者に与える不快感を低減させることが可能となる。
【００２１】
投影制御部３５は、投影部１０の動作を制御する。調光制御部３６は、調光部３０の動作を制御する。投影制御部３５はさらに、表示部２０に映像が表示されているか否かを調光制御部３６に通知する。調光制御部３６は、その通知に基づき調光部３０を制御する。
【００２２】
（表示装置１の要部の構成）
図１は、表示装置１の要部の構成を示す図である。以下、図１を参照し、表示装置１の詳細な構成について説明する。なお、図１には、図示の簡略化のために、１つの表示装置１、観察者の片方の瞳８０、およびその近傍の構成のみが示されている。
【００２３】
図１には、表示装置１の構成要素として、投影部１０、表示部２０、調光部３０、およびスペーサ４０が図示されている。なお、上述の投影制御部３５および調光制御部３６は、瞳８０の近傍以外の位置（例えばフレーム９０の先端付近）に設けられてよいため、図１において図示を省略している。以下、各部材の詳細な構成および機能について述べる。
【００２４】
まず、投影部１０の構成について説明する。投影部１０は、光源１１、ビームスプリッタ１２、画像形成部１３、およびコリメータレンズ１４を備えている。投影部１０および瞳８０は、表示部２０から見て同じ側に位置している。他方、調光部３０は、表示部２０から見て、投影部１０および瞳８０とは反対側に位置している。
【００２５】
光源１１は、例えば白色ＬＥＤ（Light Emitting Diode）であり、ビームスプリッタ１２に向けて無偏光の白色光を出射する。光源１１は、白色ＬＥＤの他、３色ＬＥＤまたはレーザ光源であってもよい。ビームスプリッタ１２は、自身に入射した白色光を偏光させ、Ｐ成分（入射面に平行な成分）とＳ成分（入射面に垂直な成分）とに分離する。その結果、白色光のＰ成分は、ビームスプリッタ１２を透過し、表示装置１の外部に出射される。他方、白色光のＳ成分は、ビームスプリッタ１２に反射され、画像形成部１３に出射される。なお、ビームスプリッタ１２は、公知のものであってよい。
【００２６】
画像形成部１３は、例えばＬＣＤ（Liquid Crystal Display）であり、２次元的なマトリクス状に配列された複数（例えば、６４０×４８０個）の画素（液晶セル）を備えている。画像形成部１３に入射した白色光のＳ成分は、画像形成部１３の内部において反射され、反射光として画像形成部１３からビームスプリッタ１２に向けて出射される。
【００２７】
ビームスプリッタ１２に向かう反射光のうち、（ｉ）「白色」を表示する画素から出射された光には、Ｐ成分が多く含まれ、（ｉｉ）「黒色」を表示する画素から出射された光には、Ｓ成分が多く含まれる。従って、反射光のＰ成分は、ビームスプリッタ１２を透過し、コリメータレンズ１４に入射する。この反射光のＰ成分が、投影光Ｌ１となる。
【００２８】
投影光Ｌ１は、観察者の視認対象となる画像（すなわち、画像形成部１３内の画素の分布に対応する画像）を形成する役割を果たす。他方、反射光のＳ成分は、ビームスプリッタ１２に反射され、光源１１に戻される。コリメータレンズ１４は、例えば、凸レンズであり、投影光Ｌ１を平行光とする。コリメータレンズ１４によって平行光とされた投影光Ｌ１は、表示部２０の導光板２１に入射する。
【００２９】
なお、画像形成部１３としては、ＬＣＤのほか、ＭＥＭＳ（Micro Electro Mechanical Systems）ディスプレイまたは有機ＥＬ（Electro Luminescence）等のデバイスを用いることもできる。これらのデバイスを用いる場合、投影部１０の光学系は、各々のデバイスに適したものとすればよい。
【００３０】
続いて、表示部２０の構成について説明する。表示部２０は、導光板２１、第１プリズム２２ａ、第２プリズム２２ｂ、および保護板２３を備えている。ここで、導光板２１において、投影部１０および瞳８０と対向する面を第１面と呼称する。なお、第１面は、調光部３０とは反対側の、表示部２０の入射面と理解されてもよい。また、第１面とは反対側の面を第２面と呼称する。
【００３１】
第１プリズム２２ａおよび第２プリズム２２ｂは、導光板２１の第２面上に配置されている。また、導光板２１の第２面と保護板２３とは、接着部材２４によって接着されている。保護板２３は、導光板２１、第１プリズム２２ａ、および第２プリズム２２ｂを保護するために設けられた部材である。また、接着部材２４は、公知の接着剤であってよい。
【００３２】
導光板２１の内部には、コリメータレンズ１４から入射した投影光Ｌ１を全反射させつつ導光する光路が設けられている。導光板２１は、公知のものであってよい。第１プリズム２２ａは、導光板２１の第１面に入射された投影光Ｌ１を反射させる。これにより、導光板２１に入射された投影光Ｌ１を、導光板２１の光路において確実に全反射させることができる。また、第２プリズム２２ｂは、導光板２１の光路において全反射されつつ導光された投影光Ｌ１を受光する。そして、第２プリズム２２ｂは、投影光Ｌ１を反射または回折させ、導光板２１の第１面から瞳８０に向けて投影光Ｌ１を出射する。
【００３３】
なお、本実施形態では、第１プリズム２２ａおよび第２プリズム２２ｂの２つのプリズムが設けられた構成が例示されているが、１つのプリズムのみを設け、当該プリズムに第１プリズム２２ａおよび第２プリズム２２ｂの機能を併有させてもよい。なお、第１プリズム２２ａおよび第２プリズム２２ｂは、公知の光反射膜または回折格子等によって構成されてよい。
【００３４】
さらに、コリメータレンズ１４を介して入射する光の入射角を、導光板２１内において全反射される光の角度（斜め方向）に設定することにより、第１プリズム２２ａを無くしてもよい。
【００３５】
続いて、調光部３０の構成について説明する。調光部３０は、光透過制御材料層３１、第１基板３２、第２基板３３を備えている。光透過制御材料層３１は、第１基板３２と第２基板３３との間に封止されている。また、第１基板３２と第２基板３３との間には、封止材３４が介在している。封止材３４は、公知のものであってよい。
【００３６】
図１に示されるように、調光部３０は、表示部２０を介して、瞳８０の前方に配置されている。換言すれば、調光部３０は、表示装置１の外部からの外光Ｌ２を、表示部２０に先立って受光するように配置されている。ここで、表示部２０における外光Ｌ２の入射面を、表示部２０の上面と呼称する。調光部３０は、表示部２０の上面の一部を覆うように配置されている。
【００３７】
光透過制御材料層３１は、例えばＴＮ（Twisted Nematic）型の液晶材料層を含んでいる。また、第１基板３２および第２基板３３のそれぞれには、外部からの電圧を印加するための不図示の電極が設けられている。一例として、第１基板３２および第２基板３３はプラスチック材料から成り、上述の電極はＩＴＯ（Indium Tin Oxide，インジウム−スズ酸化物）から成る。
【００３８】
第１基板３２の電極には電圧Ｖ１が、第２基板３３の電極には電圧Ｖ２が、それぞれ印加される。これにより、光透過制御材料層３１には、電圧Ｖ＝Ｖ１−Ｖ２が印加されることとなる。当該構成によれば、電圧Ｖ１およびＶ２の値を適宜調整することにより、電圧Ｖの値を変化させることが可能となる。例えば、第２基板３３の電極を接地し、Ｖ２＝０に固定した場合には、Ｖ＝Ｖ１となる。この場合、電圧Ｖの値を、１つの電圧Ｖ１のみを調整することよって変化させることができる。
【００３９】
光透過制御材料層３１内の液晶材料層における液晶の配列状態は、電圧Ｖの値に応じて変化する。換言すれば、液晶材料層の光透過率を、電圧Ｖの値に応じて変化させることができる。例えば、電圧Ｖの値を低下させることにより、液晶材料層の光透過率を増加させることができる。他方、電圧Ｖの値を増加させることにより、液晶材料層の光透過率を低下させることができる。このように、光透過制御材料層３１は、自身を透過させる外光Ｌ２の光量を調整する液晶シャッタとして機能する。
【００４０】
（スペーサ４０）
続いて、スペーサ４０について詳細に説明する。図１に示されるように、スペーサ４０は、表示部２０と調光部３０との間に所定の厚さＤを有している。この厚さＤは、表示部２０と調光部３０との間の距離と理解されてもよい。図１の場合には、厚さＤは、保護板２３と第１基板３２との間との間の距離に相当する。また、スペーサ４０は、第１基板３２の外縁部に設けられている。
【００４１】
スペーサ４０は、表示部２０と調光部３０との接触を防止するために設けられた部材であると理解されてもよい。本実施形態の表示装置１では、厚さＤを有するスペーサ４０が設けられることにより、表示部２０と調光部３０との接触を、従来よりも確実に防止することができる。従って、表示部２０と調光部３０との接触面における干渉縞の発生を抑制することができるため、投影光Ｌ１を視認する観察者に与える不快感を、従来よりも低減させることが可能となる。
【００４２】
スペーサ４０の厚さＤは、表示装置１の各部材のサイズおよび機械的な材料特性等の各条件を考慮した上で、表示装置１の設計者によって適宜決定されてよい。また、スペーサの材料は、特に限定されなくともよい。従って、厚さＤは、表示部２０と調光部３０との接触を防止できる程度の適当な値として設定されればよい。
【００４３】
但し、厚さＤは、調光部３０の変形量以上とすることが好ましい。当該構成によれば、調光部３０が変形した場合（例えば、表示装置１に外力が印加され、調光部３０が撓んだ場合）にも、表示部２０と調光部３０との接触をより確実に防止することができる。
【００４４】
また、スペーサ４０はプラスチック材料によって形成されることが好ましい。その理由は、スペーサ４０の重量を軽量化できるためである。これにより、表示装置１の装着時に、観察者に重く不快な気分を抱かせることを防ぎ、観察者に軽快な装着感を提供することができる。
表示装置１が落下して、スペーサ４０が他の部材に衝突した場合にも、当該他の部材の破損を防ぐことが可能となる。加えて、スペーサ４０の材料としてプラスチック材料を選択した場合には、射出成形によってスペーサ４０を製造することが可能となる。これにより、スペーサ４０を容易かつ大量に製造することができるという利点も得られる。
【００４５】
ところで、図１の表示装置１の構成では、調光部３０の端面が観察者の視界範囲内に入るため、スペーサ４０も観察者の視界範囲内に入ることとなる。しかしながら、透明なスペーサ４０（プラスチック製のスペーサ４０）を適用した場合には、スペーサ４０が観察者によって視認されにくくなる。このため、観察者が視認する画像の品質を向上させることが可能となる。
【００４６】
但し、後述の図４に示された表示装置２のように、スペーサ（ホルダ５０）が観察者の視界範囲内に入らない場合には、スペーサは透明でなくともよい。例えば、アルミニウム等の比較的軽量な金属材料を用いて、軽量なスペーサが製造されてもよい。
【００４７】
（表示装置１の効果）
以上のように、実施形態の表示装置１によれば、所定の厚さＤを有するスペーサ４０が設けられることにより、表示部２０と調光部３０との接触を従来よりも確実に防止することができる。それゆえ、投影光Ｌ１を視認する観察者に与える不快感を、従来よりも低減させることが可能となる。
【００４８】
〔実施形態２〕
本発明の他の実施形態について、図４に基づいて説明すれば、以下の通りである。なお、説明の便宜上、前記実施形態にて説明した部材と同じ機能を有する部材については、同じ符号を付記し、その説明を省略する。
【００４９】
（表示装置２の要部の構成）
図４は、本実施形態の表示装置２の要部の構成を示す図である。図４では、表示装置２
の構成要素として、投影部１０、表示部２０、調光部３０ａ、およびホルダ５０（スペーサ）が図示されている。本実施形態の表示装置２は、実施形態１の表示装置１において、（ｉ）調光部３０を調光部３０ａに、（ｉｉ）スペーサ４０をホルダ５０に、それぞれ置き換えることによって得られる構成である。
【００５０】
本実施形態の調光部３０ａは、表示部２０の上面全体を覆うように配置されている点において、実施形態１の調光部３０と異なる。図４に示されるように、調光部３０ａは、光透過制御材料層３１ａ、第１基板３２ａ、および第２基板３３ａを備えている。但し、これらの部材は、サイズを除いては、実施形態１の調光部３０の各部材と同様であるため、説明を省略する。
【００５１】
（ホルダ５０）
続いて、ホルダ５０について詳細に説明する。以下に示すように、本実施形態のホルダ５０は、実施形態１のスペーサ４０と同様の役割を担う。なお、ホルダ５０は、スペーサ４０と同様にプラスチック材料等によって製作されてよい。
【００５２】
図４に示されるように、ホルダ５０は、表示部２０の側面と調光部３０ａの側面とを囲むベゼル（外枠）状の形状を有している。なお、表示部２０の側面とは、表示部２０における外光Ｌ２の入射面を上面としたときの側面を意味する。同様に、調光部３０ａの側面とは、調光部３０ａにおける外光Ｌ２の入射面を上面としたときの側面を意味する。
【００５３】
ホルダ５０は、表示部２０の側面および調光部３０ａの側面のそれぞれを、支持および保護する役割を担う。これにより、表示装置２の機械的な強度が向上し、表示装置２が落下した場合にも、表示部２０および調光部３０ａの破損を防ぐことが可能となる。
【００５４】
加えて、ホルダ５０の形状を表示部２０および調光部３０ａの側面との両方を囲むベゼル状とすることにより、ホルダ５０が観察者の視界範囲内に入らないように、ホルダ５０を配置することができる。このようにホルダ５０が配置されることにより、より一体感のある表示装置２のデザインを提供することが可能となる。
【００５５】
また、図４に示されるように、ホルダ５０は、表示部２０と調光部３０ａとの間に所定の厚さＤを有している。本実施形態では、この厚さＤは、保護板２３と第１基板３２ａとの間の距離に相当する。このように、ホルダ５０は、表示部２０と調光部３０ａとの接触を防止するスペーサとしての機能をも併有する。
【００５６】
以上のように、本実施形態の表示装置２によれば、上述の実施形態１に比べて、表示装置の機械的な強度をさらに向上させることができる。加えて、より一体感のある表示装置のデザインを提供することが可能となる。
【００５７】
なお、本実施形態の表示装置２では、ホルダ５０によって表示部２０が保護されているため、表示部２０から保護板２３および接着部材２４を除外することもできる。これにより、表示部２０の構成がより簡単化される。この場合には、表示部２０と調光部３０ａとの間の所定の厚さＤは、第１プリズム２２ａおよび第２プリズム２２ｂと第１基板３２ａとの間の距離に相当する。
【００５８】
〔変形例〕
なお、上述の実施形態２では、ホルダ５０が表示部２０の側面と調光部３０ａの側面との両方を囲む構成が例示されていたが、ホルダ５０の構成は、必ずしもこれに限定されなくともよい。
【００５９】
一例として、実施形態１の表示装置１において、スペーサ４０に替えて、調光部３０の側面を囲むベゼル状の形状を有するホルダが設けられてもよい。この場合、ホルダによって調光部３０の側面が支持および保護されるため、上述の実施形態１における表示装置１の機械的な強度を向上させることが可能となる。
【００６０】
〔実施形態３〕
本発明の他の実施形態について、図５に基づいて説明すれば、以下の通りである。なお、説明の便宜上、前記実施形態にて説明した部材と同じ機能を有する部材については、同じ符号を付記し、その説明を省略する。
【００６１】
図５は、本実施形態の表示装置３の要部の構成を示す図である。図５に示されるように、本実施形態の表示装置３は、実施形態２の表示装置２に、防眩処理ＡＤ１〜ＡＤ４を付加することによって得られる構成である。
【００６２】
防眩処理ＡＤ１〜ＡＤ４は、入射面における光の反射を防止するために、当該入射面に施される表面処理である。例えば、防眩処理ＡＤ１〜ＡＤ４は、（ｉ）ノングレア処理（入射面に微細な凹凸形状を設ける処理）であってもよいし、または、（ｉｉ）ＡＲ（Anti-Reflection）処理（反射防止被膜によって入射面を覆う処理）であってもよい。
【００６３】
防眩処理ＡＤ１は、導光板２１の第１面（換言すれば、調光部３０とは反対側の、表示部２０の入射面）に施されている。防眩処理ＡＤ１により、瞳８０に入射する周囲光の反射、および迷光の発生が抑制されるため、投影光Ｌ１を視認する観察者に与える不快感を好適に低減させることが可能となる。
【００６４】
さらに、導光板２１の第１面以外の様々な表面に防眩処理を施すことにより、瞳８０に入射する周囲光の反射、および迷光の発生をより一層抑制することができる。防眩処理ＡＤ２およびＡＤ３は、調光部３０に対向する保護板２３の各入射面（換言すれば、調光部３０に対向する表示部２０の各入射面）に施されている。防眩処理ＡＤ４は、第１基板３２ａの入射面（換言すれば、調光部３０の入射面）に施されている。
【００６５】
このように、防眩処理ＡＤ２〜ＡＤ４の少なくともいずれかが施されることによって、投影光Ｌ１を視認する観察者に与える不快感をより一層低減させることができる。なお、表示装置３の各部材のその他の表面に、防眩処理が施されてもよい。
【００６６】
なお、上述の各実施形態では、表示部２０は、導光板２１、第１プリズム２２ａ、第２プリズム２２ｂ、および保護板２３等を備えた構成としているが、表示部の構成はこれに限定されない。
【００６７】
すなわち、表示部として用いられる光学装置を、導光板ではなくハーフミラーおよび凹面鏡等の反射タイプの光学材料を組み合わせることにより、表示部を形成してもよい。あるいは、所定の表示領域を有する半透過型の平面ディスプレイを、表示部として配置した構成としてもよい。
【００６８】
〔まとめ〕
本発明の態様１に係る表示装置（１）は、ウェアラブルデバイス（１００）に備えられる表示装置であって、観察者の視認対象となる画像を表示領域に表示する表示部（２０）と、外部から上記表示部へ入射する外光（Ｌ２）の光量を調整する調光部（３０）と、上記表示部と上記調光部との間に所定の厚さ（Ｄ）を有するスペーサ（４０）と、を備えている。
【００６９】
上記の構成によれば、所定の厚さを有するスペーサを設けることにより、表示部と調光部との接触を従来よりも確実に防止することができるため、接触面における干渉縞の発生が抑制される。これにより、投影光を視認する観察者に与える不快感を従来よりも低減させることが可能となる。
【００７０】
本発明の態様２に係る表示装置は、上記態様１において、上記スペーサの上記所定の厚さは、上記調光部の変形量以上であることが好ましい。上記の構成によれば、調光部が変形した場合であっても、表示部と調光部との接触をより確実に防止することができる。
【００７１】
本発明の態様３に係る表示装置は、上記態様１または２において、上記スペーサは、上記調光部における上記外光の入射面を上面としたときの側面を囲むベゼル状の形状を有していることが好ましい。上記の構成によれば、スペーサを、調光部の側面を支持および保護するホルダとして機能させることができる。これにより、表示装置の機械的な強度が向上し、表示装置が落下した場合にも、調光部の破損を防ぐことが可能となる。
【００７２】
本発明の態様４に係る表示装置は、上記態様３において、上記スペーサは、上記表示部における上記外光の入射面を上面としたときの側面をさらに囲むことが好ましい。
【００７３】
上記の構成によれば、スペーサを、表示部の側面をも支持および保護するホルダとして機能させることができるため、表示装置の機械的な強度をさらに向上させることが可能となる。加えて、より一体感のある表示装置のデザインを提供することが可能となる。
【００７４】
本発明の態様５に係る表示装置は、上記態様１から４のいずれか１つにおいて、上記調光部に対向する上記表示部の入射面、および、上記調光部の入射面の少なくともいずれかには、防眩処理（ＡＤ２〜ＡＤ４）が施されていることが好ましい。
【００７５】
上記の構成によれば、投影光を視認する観察者に与える不快感をさらに低減させることが可能となる。
【００７６】
本発明の態様６に係るウェアラブルデバイスは、上記態様１から５のいずれか１つに係る表示装置と、上記観察者の頭部に装着可能な装着部（フレーム９０）と、を備えており、上記表示装置は、上記装着部に取り付けられていることが好ましい。上記の構成によれば、本発明の一態様に係る表示装置を備えたウェアラブルデバイス（例えば、眼鏡型ウェアラブルデバイス）を実現することが可能となる。
【００７７】
〔付記事項〕
なお、本発明は以下のようにも表現できる。
【００７８】
本発明の一態様に係る表示装置において、上記スペーサは、プラスチック材料によって形成されていることが好ましい。上記の構成によれば、スペーサの重量を軽量化できるため、表示装置の装着時に、観察者に重く不快な気分を抱かせることを防ぎ、観察者に軽快な装着感を提供することが可能となる。
【００７９】
また、本発明の一態様に係る表示装置において、上記スペーサは、射出成形によって製造されたものであることが好ましい。上記の構成によれば、スペーサを容易かつ大量に製造することが可能となる。
【００８０】
また、本発明の一態様に係る表示装置において、上記スペーサは、透明であってもよい。上記の構成によれば、調光部の端面が観察者の視界範囲内に入る場合に、スペーサが観察者によって視認されにくくなるため、観察者が視認する画像の品質を向上させることが可能となる。
【００８１】
また、本発明の一態様に係る表示装置において、上記調光部とは反対側の、上記表示部の入射面には、防眩処理（ＡＤ１）が施されていることが好ましい。上記の構成によれば、観察者の瞳に入射する周囲光の反射、および迷光の発生が抑制されるため、投影光を視認する観察者に与える不快感をさらに低減させることが可能となる。
【００８２】
なお、本発明は上述した各実施形態に限定されるものではなく、請求項に示した範囲で種々の変更が可能であり、異なる実施形態にそれぞれ開示された技術的手段を適宜組み合わせて得られる実施形態も本発明の技術的範囲に含まれる。さらに、各実施形態にそれぞれ開示された技術的手段を組み合わせることにより、新しい技術的特徴を形成できる。
【産業上の利用可能性】
【００８３】
本発明は、ウェアラブルデバイスに備えられる表示装置に利用することができる。
【符号の説明】
【００８４】
１，２，３  表示装置、１０  投影部、２０  表示部、３０，３０ａ  調光部、
４０  スペーサ、５０  ホルダ（スペーサ）、８０  瞳、
９０  フレーム（装着部）、１００  ウェアラブルデバイス、
Ｌ１  投影光、  Ｌ２  外光、  Ｄ  厚さ（所定の厚さ）、
ＡＤ１〜ＡＤ４  防眩処理
【図１】
2016126134.tif 000003
【図２】
2016126134.tif 000004
【図３】
2016126134.tif 000005
【図４】
2016126134.tif 000006
【図５】
2016126134.tif 000007